【手続補正書】
【提出日】平成17年2月3日(2005.2.3)
【手続補正１】
【補正対象書類名】明細書
【補正対象項目名】特許請求の範囲
【補正方法】変更
【補正の内容】
【特許請求の範囲】
【請求項１】
撮像装置を備え、
撮像装置は被検体からの放射線を検出する複数の放射線検出器を有し、
第１の前記放射線検出器を通った放射線を検出する第２の前記放射線検出器が設けられ、
前記複数の放射線検出器に接続され、前記放射線検出器によって検出された放射線検出信号を処理する信号処理装置を備えていることを特徴とする放射線検査装置。
【請求項２】
前記撮像装置は、前記被検体にＸ線を照射するＸ線源、及び前記複数の放射線検出器を有するフラットパネルディテクタを備えている請求項１記載の放射線検査装置。
【請求項３】
被検体を乗せるベッドと、撮像装置とを備え、
撮像装置は前記被検体からの放射線を検出する複数の放射線検出器を有し、
ある前記放射線検出器を通った放射線を検出する他の前記放射線検出器が設けられ、
前記複数の放射線検出器に接続され、前記放射線検出器によって検出された放射線検出信号を処理する信号処理装置を備えていることを特徴とする放射線検査装置。
【請求項４】
前記ある放射線検出器及び前記他の放射線検出器は前記放射線検出器支持部材に設置されている請求項３記載の放射線検査装置。
【請求項５】
前記撮像装置は前記被検体の周囲を移動して前記被検体にＸ線を照射するＸ線源を有する請求項１，請求項３及び請求項４のいずれかに記載の放射線検査装置。
【請求項６】
前記撮像装置は前記被検体の周囲を移動して前記被検体にγ線を照射するγ線源を有し、前記放射線検出器は、前記γ線源から照射されて前記被検体を透過するγ線、及び前記被検体に投与された放射性薬剤に起因して前記被検体から放出されるγ線の両方を検出する請求項１，請求項３及び請求項４のいずれかに記載の放射線検査装置。
【請求項７】
前記撮像装置は前記被検体の周囲を移動して前記被検体にＸ線を照射するＸ線源を有し、前記放射線検出器は、前記Ｘ線源から照射されて前記被検体を透過するＸ線も検出する請求項６記載の放射線検査装置。
【請求項８】
前記ある放射線検出器と前記他の放射線検出器が直線状に配置されている請求項１ないし請求項６のいずれかに記載の放射線検査装置。
【請求項９】
被検体を乗せるベッドと、撮像装置とを備え、撮像装置は前記被検体からの放射線を検出する複数の放射線検出器を有し、これらの放射線検出器は、前記撮像装置に形成されて前記ベッドの周囲を取囲んで配置され、かつ前記ベッドの方向に複数の層として配置されており、
前記複数の放射線検出器に接続され、前記放射線検出器によって検出された放射線検出信号を処理し、前記放射線検出信号を出力した放射線検出器の、前記ベッド方向における放射線検出器の位置情報を得る信号処理装置を備えていることを特徴とする放射線検査装置。
【請求項１０】
被検体を乗せるベッドと、撮像装置とを備え、撮像装置は前記被検体からの放射線を検出する複数の放射線検出器を有し、これらの放射線検出器は、前記撮像装置に形成されて前記ベッドの周囲に配置される放射線検出器支持部材に設置され、かつ前記ベッドの方向において異なる位置においても前記放射線検出器支持部材に複数の層として設置されており、
前記複数の放射線検出器に接続され、前記放射線検出器によって検出された放射線検出信号を処理し、前記放射線検出信号を出力した放射線検出器の、前記ベッド方向における放射線検出器の位置情報を得る信号処理装置を備えていることを特徴とする放射線検査装置。
【請求項１１】
前記ベッド方向において異なる位置に配置された複数の前記放射線検出器は、前記ベッド方向に直線状に配置されている請求項９または請求項１０記載の放射線検査装置。
【請求項１２】
各前記信号処理装置からの出力情報を入力してこれらの出力情報に基づいて前記被検体の断層像のデータを作成する断層像作成装置を備えた請求項３、及び請求項９ないし請求項１１のいずれかに記載の放射線検査装置。
【請求項１３】
前記各信号処理装置からの前記出力情報は、前記放射線検出信号であるγ線検出信号を前記信号処理装置が処理して得られる出力情報である請求項１２記載の放射線検査装置。
【請求項１４】
前記撮像装置は前記被検体の周囲を移動して前記被検体にγ線を照射するγ線源を有し、前記放射線検出器は、前記γ線源から照射されて前記被検体を透過した第１γ線、及び前記被検体に投与された放射性薬剤に起因して前記被検体から放出された第２γ線の両方を検出する請求項３、及び請求項９ないし請求項１１のいずれかに記載の放射線検査装置。
【請求項１５】
断層像データ作成装置を備え、
前記信号処理装置は、前記第１γ線を検出することによって前記放射線検出器から出力される第１γ線検出信号を入力することにより、第１情報を出力し、かつ前記第２γ線を検出することによって前記放射線検出器から出力される第２γ線検出信号を入力することにより、第２情報を出力し、
前記断層像データ作成装置は、前記１情報に基づいて前記第２情報を補正し、
補正された前記第２情報を用いて前記被検体の断層像データを作成する請求項１４記載の放射線検査装置。
【請求項１６】
前記撮像装置は、前記被検体の周囲を移動して前記被検体にＸ線を照射するＸ線源を含んでおり、前記複数の放射線検出器は前記ベッドの方向において複数層の放射線検出器配列を形成しており、前記複数層のうち、前記ベッド側から少なくとも一層目の前記放射線検出器配列に含まれる前記放射線検出器は、前記放射線の１つである、前記被検体を透過した前記Ｘ線の検出信号である第１検出信号、及び他の前記放射線である、前記被検体から放出されたγ線の検出信号である第２検出信号の両方を出力する請求項３、及び請求項９ないし請求項１１のいずれかに記載の放射線検査装置。
【請求項１７】
前記撮像装置は前記被検体の周囲を移動して前記被検体にγ線を照射するγ線源を有し、前記放射線検出器は、前記γ線源から照射されて前記被検体を透過するγ線の検出信号である第３検出信号も出力する請求項１６記載の放射線検査装置。
【請求項１８】
前記Ｘ線源からのＸ線の放出及び停止を交互に行わせかつそのＸ線の放出を設定された時間の間に行わせる制御装置を備えた請求項１６または請求項１７記載の放射線検査装置。
【請求項１９】
前記第１検出信号の入力によって前記信号処理装置から出力される第１情報に基づいて、前記被検体の第１断層像のデータを作成し、前記第２検出信号の入力によって前記信号処理装置から出力される第２情報に基づいて、前記被検体の第２断層像のデータを作成し、かつ前記第１断層像のデータと前記第２断層像のデータとを合成した合成断層像のデータを作成する断層像データ作成装置を備えた請求項１６または請求項１８記載の放射線検査装置。
【請求項２０】
前記第１検出信号の入力によって前記信号処理装置から出力される第１情報に基づいて、前記被検体の第１断層像のデータを作成し、前記第２検出信号の入力によって前記信号処理装置から出力される第２情報を、前記第３検出信号の入力によって前記信号処理装置から出力される第３情報に基づいて、補正し、補正された前記第２情報に基づいて、前記被検体の第２断層像のデータを作成し、かつ前記第１断層像のデータと前記第２断層像のデータとを合成した合成断層像のデータを作成する断層像データ作成装置を備えた請求項１７記載の放射線検査装置。
【請求項２１】
断層像データ作成装置を備え、
前記複数層の放射線検出器配列のうち、前記ベッド側に位置する一部の層の前記放射線検出器配列内の各前記放射線検出器に接続された前記信号処理装置は、前記第１検出信号に基づいてＸ線に関する第１情報を出力するＸ線信号処理装置、及び前記第２検出信号に基づいてγ線に関する第２情報を出力するγ線信号処理装置を備え、前記複数層の放射線検出器配列のうち、残りの前記放射線検出器配列内の各前記放射線検出器に接続された前記信号処理装置は、前記Ｘ線信号処理装置を備えていなく前記γ線信号処理装置を備え、
前記断層像データ作成装置は、各前記Ｘ線信号処理装置から出力される前記第１情報に基づいて、前記被検体の第１断層像のデータを作成し、前記γ線信号処理装置から出力される前記第２情報に基づいて、前記被検体の第２断層像のデータを作成し、かつ前記第１断層像のデータと前記第２断層像のデータとを合成した合成断層像のデータを作成する請求項１６記載の放射線検査装置。
【請求項２２】
断層像データ作成装置を備え、
前記複数層の放射線検出器配列のうち、前記ベッド側に位置する一部の層の前記放射線検出器配列内の各前記放射線検出器に接続された前記信号処理装置は、前記第１検出信号に基づいてＸ線に関する第１情報を出力するＸ線信号処理装置、及び前記第２検出信号に基づいてγ線に関する第２情報を出力すると共に、前記第３検出信号に基づいてγ線に関する第３情報を出力するγ線信号処理装置を備え、前記複数層の放射線検出器配列のうち、残りの前記放射線検出器配列内の各前記放射線検出器に接続された前記信号処理装置は、前記Ｘ線信号処理装置を備えていなく前記γ線信号処理装置を備え、
前記断層像データ作成装置は、各前記Ｘ線信号処理装置から出力される前記第１情報に基づいて、前記被検体の第１断層像のデータを作成し、前記γ線信号処理装置から出力される第２情報を、前記信号処理装置から出力される第３情報に基づいて、補正し、補正された前記第２情報に基づいて、前記被検体の第２断層像のデータを作成し、かつ前記第１断層像のデータと前記第２断層像のデータとを合成した合成断層像のデータを作成する請求項１７記載の放射線検査装置。
【請求項２３】
放射線検出器劣化判定装置を備え、前記複数の放射線検出器は前記ベッドの方向において複数層の放射線検出器配列を形成しており、各前記放射線検出器に接続された前記信号処理装置は、前記第１γ線を検出することによって前記放射線検出器から出力される第１γ線検出信号を入力することにより、第１情報を出力し、前記放射線検出器劣化判定装置は、前記複数層における各放射線検出器に対するそれぞれの前記第１情報に基づいて、それらの放射線検出器の検出効率の実測値の比を求め、その実測値の比、及びそれらの放射線検出器の検出効率の理論値の比に基づいて、それらの放射線検出器の劣化を判定する請求項１４記載の放射線検査装置。
【請求項２４】
放射線検出器劣化判定装置を備え、各前記放射線検出器に接続された前記信号処理装置は、前記放射線検出器から出力される第３検出器信号を入力することにより、第１情報を出力し、前記放射線検出器劣化判定装置は、前記複数層における各放射線検出器に対するそれぞれの前記第１情報に基づいて、それらの放射線検出器の検出効率の実測値の比を求め、その実測値の比、及びそれらの放射線検出器の検出効率の理論値の比に基づいて、それらの放射線検出器の劣化を判定する請求項１７記載の放射線検査装置。
【請求項２５】
前記放射線検出器は半導体放射線検出器である請求項１ないし請求項２４のいずれかに記載の放射線検査装置。
【請求項２６】
被検体を支持するベッドと、前記被検体から放射される放射線を検出する複数の半導体検出器を有する撮像装置とを備え、
前記半導体検出器を積層し、この積層した半導体検出器を前記ベッドの周囲に配置し、
前記積層した半導体検出器で検出される各放射線検出信号、及び放射線を検出した半導体検出器の位置情報に基づいて、前記被検体の断層像情報を作成する断層像情報作成装置を備えたことを特徴とする放射線検査装置。
【請求項２７】
被検体を支持するベッドと、前記被検体から放射される放射線を検出する複数の半導体検出器を有する撮像装置とを備え、
前記半導体検出器を複数の層とし、この複数の層とした半導体検出器を前記ベッドの周囲に配置し、
前記複数の層とした半導体検出器で検出される各放射線検出信号、及び放射線を検出した半導体検出器の位置情報に基づいて、前記被検体の断層像情報を作成する断層像情報作成装置を備えたことを特徴とする放射線検査装置。
【請求項２８】
請求項２６又は２７に記載の放射線検査装置において、前記層とした半導体検出器は、前記γ線の進行方向に層として配置されることを特徴とする放射線検査装置。
【請求項２９】
被検体から放射される放射線を、積層されて前記ベッドの周囲に配置された複数の半導体検出器によって検出し、
前記積層した半導体検出器で検出された各放射線検出信号、及び放射線を検出した半導体検出器の位置情報に基づいて、前記被検体の断層像情報を作成することを特徴とする放射線検査方法。
【請求項３０】
被検体から放射される放射線を、複数の層として前記ベッドの周囲に配置された複数の半導体検出器によって検出し、
前記複数の層とした半導体検出器で検出された各放射線検出信号、及び放射線を検出した半導体検出器の位置情報に基づいて、前記被検体の断層像情報を作成することを特徴とする放射線検査方法。
【請求項３１】
請求項２９又は３０に記載の放射線検査方法において、前記半導体検出器は、前記γ線の進行方向に層として配置されることを特徴とする放射線検査方法。